(57)【要約】【課題】器具本体に対する発光ユニットの保持力を高める部品の点数削減を図ることで部品管理の効率化を図ることができる照明装置を提供する。【解決手段】複数の発光素子を実装した長尺状の発光素子基板１９と、発光素子基板が固定されている長尺状の支持部材２０とを含む発光ユニット３と、長尺状のユニット収納部７が形成されている器具本体２と、ユニット収納部に発光ユニットを着脱自在に装着させるユニット装着部１２，３４と、外部電源からの交流電流を直流電流に変換した点灯電力を複数の発光素子に供給するユニット電源装置２５と、発光ユニットに配置され、複数の発光素子に点灯電力を供給、或いは点灯電力の供給停止に切り換えるプルスイッチ２３と、発光ユニットに設けられている第１係合部２４と、器具本体に設けられ、第１係合部に係合する第２係合部１８とを有している。【選択図】図３
2018049747.tif 000002
【特許請求の範囲】
【請求項１】
複数の発光素子を実装した長尺状の発光素子基板と、前記発光素子基板が固定されている長尺状の支持部材とを含む発光ユニットと、
長尺状のユニット収納部が形成されている器具本体と、
前記ユニット収納部に発光ユニットを着脱自在に装着させるユニット装着部と、
外部電源からの交流電流を直流電流に変換した点灯電力を前記複数の発光素子に供給するユニット電源装置と、
前記発光ユニットに配置され、前記複数の発光素子に点灯電力を供給、或いは点灯電力の供給停止に切り換えるプルスイッチと、
前記発光ユニットに設けられている第１係合部と、
前記器具本体に設けられて前記第１係合部に係合する第２係合部と、を有する照明装置。
【請求項２】
前記ユニット装着部は、
前記器具本体の長尺方向の一方及び他方の端部側に配置した一対のバネ部材と、
前記支持部材の前記発光素子基板を固定した側とは反対側の取付け面の長尺方向の一方及び他方の端部側に配置した一対のバネ受け部材と、を備え、
前記バネ部材及び前記バネ受け部材がバネ力で嵌合して前記発光ユニットが前記ユニット収納部の内部に保持され、前記発光ユニットが前記器具本体に着脱自在に装着されている請求項１記載の照明装置。
【請求項３】
前記発光ユニットの前記第１係合部は、前記支持部材の長尺方向の一方の端部から長尺方向の外方に突出して配置されているストッパー突起部を備え、
前記器具本体は、長尺状の本体部材と、前記本体部材の長尺方向の一方及び他方の端部に取付けられる一対のエンド部材とで前記ユニット収納部が形成されており、
前記第２係合部は、前記ストッパー突起部が挿入される前記長尺方向の一方の端部に取り付けられている前記エンド部材に形成したストッパー挿入孔を備えている請求項１又は２に記載の照明装置。
【請求項４】
前記発光ユニットの前記第１係合部は、前記支持部材の長尺方向の一方の端部から長尺方向の外方に突出して配置されているストッパー突起部を備え、
前記器具本体は、長尺状の本体部材と、前記本体部材の長尺方向の一方及び他方の端部に取付けられる一対のエンド部材とで前記ユニット収納部が形成されており、
前記第２係合部は、前記長尺方向の一方の端部に取り付けられている前記エンド部材の内壁から突出し、前記ストッパー突起部に対して下方位置でオーバーラップする内壁突起部を備えている請求項１又は２に記載の照明装置。
【請求項５】
前記ストッパー突起部は、前記支持部材の長尺方向の外方に向けて押圧部材に押圧された状態で長尺方向に移動自在に配置されている請求項４記載の照明装置。
【請求項６】
前記ユニット電源装置は、
他の部品と電気的に接続される接続部と、
前記接続部より電流が流れる方向の下流に配置され、前記交流電流を直流電流に変換する整流回路と、
前記整流回路で変換された直流電流を前記複数の発光素子に供給するドライブ回路と、が実装された電源基板を備えており、
前記プルスイッチは、前記接続部と前記整流回路とを接続する前記電源基板に設けた第１配線パターンの途中に接続されている請求項１から５の何れか１項に記載の照明装置。
【請求項７】
前記ユニット電源装置は、
他の部品と電気的に接続される接続部と、
前記接続部より電流が流れる方向の下流に配置され、前記交流電流を直流電流に変換する整流回路と、
前記整流回路で変換された直流電流を前記複数の発光素子に供給するドライブ回路と、が実装された電源基板を備えており、
前記プルスイッチは、前記整流回路と前記ドライブ回路とを接続する前記電源基板に設けた第２配線パターンの途中に接続されている請求項１から５の何れか１項に記載の照明装置。
【請求項８】
複数の発光素子を実装した長尺状の発光素子基板と、前記発光素子基板が固定されている長尺状の支持部材とを含む発光ユニットと、
長尺状のユニット収納部が形成されている器具本体と、
前記ユニット収納部に発光ユニットを着脱自在に装着させるユニット装着部と、
外部電源からの交流電流を直流電流に変換した点灯電力を前記複数の発光素子に供給するユニット電源装置と、
前記ユニット収納部又は前記発光ユニットに配置され、前記複数の発光素子に点灯電力を供給、或いは点灯電力の供給停止に切り換えるプルスイッチと、を備え、
前記ユニット電源装置は、
他の部品と電気的に接続される接続部と、
前記接続部より電流が流れる方向の下流に配置され、前記交流電流を直流電流に変換する整流回路と、
前記整流回路で変換された直流電流を前記複数の発光素子に供給するドライブ回路と、が実装された電源基板を備えており、
前記プルスイッチは、前記接続部と前記整流回路とを接続する前記電源基板に設けた第１配線パターンの途中に接続されている照明装置。
【請求項９】
複数の発光素子を実装した長尺状の発光素子基板と、前記発光素子基板が固定されている長尺状の支持部材とを含む発光ユニットと、
長尺状のユニット収納部が形成されている器具本体と、
前記器具本体の前記ユニット収納部に発光ユニットを着脱自在に装着するユニット装着部と、
外部電源からの交流電流を直流電流に変換した点灯電力を前記複数の発光素子に供給するユニット電源装置と、
前記ユニット収納部又は前記発光ユニットに配置され、前記複数の発光素子に点灯電力を供給、或いは点灯電力の供給停止に切り換えるプルスイッチと、を備え、
前記ユニット電源装置は、
他の部品と電気的に接続される接続部と、
前記接続部より電流が流れる方向の下流に配置され、前記交流電流を直流電流に変換する整流回路と、
前記整流回路で変換された直流電流を前記複数の発光素子に供給するドライブ回路と、が実装された電源基板を備えており、
前記プルスイッチは、前記整流回路と前記ドライブ回路とを接続する前記電源基板に設けた第２配線パターンの途中に接続されている請求項１から４の何れか１項に記載の照明装置。
【発明の詳細な説明】
【技術分野】
【０００１】
本発明は、複数の発光素子を実装した長尺状の発光素子基板を備えた発光ユニットと、この発光ユニットを着脱自在に装着して天井位置に取付ける器具本体とを備えた照明装置に関する。
【背景技術】
【０００２】
照明に用いる発光源として発光ダイオード（以下、ＬＥＤ（Light Emitting Diode））が発光素子として注目されており、例えば特許文献１，２の照明装置は、複数のＬＥＤを実装した長尺状のＬＥＤ基板の発光方向に透光性のユニットカバーを装着してなる発光ユニットと、この発光ユニットを着脱自在に装着して天井位置に取り付けられる器具本体とを備えている。この特許文献１、２の照明装置は、発光ユニットの外部電源の端子台と電源装置との間にプルスイッチが配置されており、プルスイッチの引き紐を引く毎に、電源装置に給電される状態と、電源装置への給電が停止される状態とが切り換えられる。
【０００３】
特許文献１、２の照明装置には、プルスイッチの引き紐を引いて発光ユニットに下向きの引張り力が作用しても、器具本体及び発光ユニットの両者に係合するように取付けた引掛部材が引張り力に抗する反力を発生することで、器具本体に対する発光ユニットの保持力を高めている。
【先行技術文献】
【特許文献】
【０００４】
【特許文献１】特開２０１５−１６５４８０号公報
【特許文献２】特開２０１６−１００２２０号公報
【発明の概要】
【発明が解決しようとする課題】
【０００５】
しかしながら、特許文献１、２の照明装置で使用されている引掛部材は、器具本体及び発光ユニットとは別体の部品であり、部品点数が増えて部品管理が煩雑になるおそれがある。
また、引掛部材を器具本体及び発光ユニットの両者に係合させる作業を行わなければならず、発光ユニットの保持力を高めるための作業工程が増大してしまうという問題もある。
本発明は、上記のような問題点に着目してなされたものであり、器具本体に対する発光ユニットの保持力を高める部品の点数削減を図ることで部品管理の効率化を図ることができるとともに、簡便な作業で発光ユニットの保持力を高めることができる照明装置を提供することを目的とするものである。
【課題を解決するための手段】
【０００６】
上記課題を解決するために、本発明の照明装置の一態様によれば、複数の発光素子を実装した長尺状の発光素子基板と、発光素子基板が固定されている長尺状の支持部材とを含む発光ユニットと、長尺状のユニット収納部が形成されている器具本体と、ユニット収納部に発光ユニットを着脱自在に装着させるユニット装着部と、外部電源からの交流電流を直流電流に変換した点灯電力を複数の発光素子に供給するユニット電源装置と、発光ユニットに配置され、複数の発光素子に点灯電力を供給、或いは点灯電力の供給停止に切り換えるプルスイッチと、発光ユニットに設けられている第１係合部と、器具本体に設けられて第１係合部に係合する第２係合部とを有している。
【発明の効果】
【０００７】
本発明の照明装置では、器具本体に対する発光ユニットの保持力を高める部品の点数削減を図ることで部品管理の効率化を図ることができるとともに、簡便な作業で発光ユニットの保持力を高めることができる。
【図面の簡単な説明】
【０００８】
【図１】本発明に係る第１実施形態の照明装置を上方から示す斜視図である。
【図２】本発明に係る第１実施形態の照明装置を下方から示す斜視図である。
【図３】本発明に係る第１実施形態の照明装置を上方から示す分解斜視図である。
【図４】本発明に係る第１実施形態の照明装置を下方から示す分解斜視図である。
【図５】本発明に係る第１実施形態の照明装置を長尺方向の一方の側面から示した側面図である。
【図６】図１のＡ−Ａ平面に沿った断面図である。
【図７】本発明に係る第１実施形態の照明装置の長尺方向の一方の端面側の部品構成を示す斜視図である。
【図８】本発明に係る第１実施形態の照明装置の交流電源から発光素子までの点灯電力供給回路を示す図である。
【図９】本発明に係る第１実施形態の照明装置の組立て手順の一例を示す図である。
【図１０】本発明に係る第２実施形態の照明装置の交流電源から発光素子までの点灯電力供給回路を示す図である。
【図１１】本発明に係る第３実施形態の照明装置を上方から示す斜視図である。
【図１２】本発明に係る第３実施形態の照明装置を下方から示す斜視図である。
【図１３】本発明に係る第３実施形態の照明装置を上方から示す分解斜視図である。
【図１４】本発明に係る第３実施形態の照明装置を下方から示す分解斜視図である。
【図１５】本発明に係る第３実施形態の照明装置を構成する第１エンド部材を外壁側から示した斜視図である。
【図１６】本発明に係る第３実施形態の照明装置を構成する第１エンド部材を内壁側から示した図である。
【図１７】図１１のＢ−Ｂ平面に沿った断面図である。
【図１８】本発明に係る第３実施形態の照明装置の組立て手順の一例を示す図である。
【発明を実施するための形態】
【０００９】
以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１０】
［第１実施形態］
以下に、本発明に係る第１実施形態の照明装置について図面を参照しながら説明する。
図１及び図２は、第１実施形態の埋込み型の照明装置１の斜視図を示すものであり、図３及び図４は、第１実施形態の埋込み型の照明装置１の分解斜視図を示すものであり、図５は、第１実施形態の埋込み型の照明装置１を長尺方向の一方の端部から示した側面図である。
第１実施形態の照明装置１は、天井（不図示）に形成した天井開口部（図５の符号２１）から天井裏に埋め込まれた状態で下方に開口している器具本体２と、この器具本体２に着脱自在に装着され、器具本体２の下方（室内側）に配置される発光ユニット３とを備えている。
なお、器具本体２や発光ユニット３の長尺方向を統括して照明装置としての長尺方向と定義し、照明装置１が天井位置に取付けられた状態で、この長尺方向と水平面内で直交する方向を幅方向と定義する。
【００１１】
器具本体２は、図４に示すように、発光ユニット３を収納する長尺な本体部材４と、本体部材４の長尺方向の一方の端部に取付けられる第１エンド部材５と、本体部材４の長尺方向の他方の端部に取付けられる第２エンド部材６とを備えている。
本体部材４は、幅広・長尺な金属製板材をプレス加工などにより切断・折り曲げすることで、台形断面形状に形成されているとともに、図２及び図４に示すように、本体部材４の内部にユニット収納部７が形成されている。
図１及び図３に示すように、本体部材４の天板部８には、天井内部の配線を引き込むための配線用穴９が形成されているとともに、複数の吊りボルト用孔１０及び調光信号線用穴１０ａが形成されている。吊りボルト用孔１０には、天井裏の造営材（不図示）に固定されて天井開口部２１まで下がって配置された吊りボルト（図５の符号Ｂ）の下部が挿入され、吊りボルトＢの下部が天板部８に固定される。これにより、器具本体２は、天井開口部２１を閉塞した状態で天井に吊下げ保持される。
【００１２】
さらに、図４に示すように、本体部材４の天板部８の発光ユニット３が装着される装着面の長尺方向中央付近に電源端子台１１が固定されているとともに、装着面の長尺方向の一方及び他方の端部側に、発光ユニット３を着脱自在に装着するための一対のバネ金具１２が配置されている。一対のバネ金具１２は、バネ１３と、バネ１３を支持するバネ支持部１４と、バネ１３の弾性力によって本体部材４側へ押圧するアーム部１５とを備えている。
本体部材４の長尺方向の両端部に取付けられている第１エンド部材５及び第２エンド部材６は、合成樹脂製の板材又は金属製の板材で形成されている。
【００１３】
本体部材４の長尺方向の一方の端部に取付けられる第１エンド部材５は、図３及び図５に示すように、ユニット収納部７を覆う台形形状の平板部１６と、平板部１６の周縁から板厚方向に突出して本体部材４の長尺方向の縁部に固定される固定辺部１７と、平板部１６の表裏を貫通して形成されたストッパー挿入孔１８と、を備えた部材である。
本体部材４の長尺方向の他方の端部に取付けられる第２エンド部材６は、平板部１６及び固定辺部１７が形成されているが、平板部１６には、第１エンド部材５で示したストッパー挿入孔１８が形成されていない。
【００１４】
発光ユニット３は、図６に示すように、複数のＬＥＤを実装した長尺形状のＬＥＤ基板１９と、ＬＥＤ基板１９を下面に取付けた長尺形状の支持部材２０と、ＬＥＤ基板１９の発光側を覆っている長尺形状の透光性のユニットカバー２２と、支持部材２０の長尺方向の一方の端部側の下面に配置されたプルスイッチ２３と、支持部材２０の長尺方向の一方の端部の上面に配置したストッパー部材２４と、を備えている。
図６及び図７に示すように、支持部材２０の長尺方向の一方の端部側の上面には、ストッパー部材２４を配置するためのストッパー固定部材２９が固定されている。
【００１５】
ストッパー固定部材２９は、金属平板をクランク状に折曲形成することで互いに平行に延在する第１平板３０、第２平板３１を備えた部材であり、第２平板３１を支持部材２０の長尺方向の一方の端部側の上面に固定し、支持部材２０の上面に対して高い位置で延在している第１平板３０が、支持部材２０の長尺方向の一方の端部から長尺方向の外方に突出するように配置されている。
ストッパー部材２４は、図７に示すように、第１エンド部材５に形成されているストッパー挿入孔１８に挿入可能な大きさの直方体形状としたストッパー突起部３２と、ストッパー突起部３２に対して厚さ方向の寸法を大きくした本体部３３と、を備えた合成樹脂製の部材、或いは金属部材である。
【００１６】
ストッパー部材２４は、ストッパー固定部材２９の第１平板３０にストッパー突起部３２を載せ、第２平板３１に本体部３３を載せた状態でストッパー固定部材２９に固定されている。これにより、図６に示すように、ストッパー部材２４のストッパー突起部３２が、支持部材２０の長尺方向の一方の端部から長尺方向の外方に突出した状態で配置される。
また、プルスイッチ２３は、図６及び図７に示すように、支持部材２０の下面に固定されているキャノピースイッチ２６と、キャノピースイッチ２６を保持しているキャノピースイッチ受２６ａと、引く動作を行うことでキャノピースイッチ２６に内蔵されている接点の切替えを行う引き紐２６ｂと、支持部材２０の下面側からキャノピースイッチ２６を収納する下側カバー２７と、ストッパー部材２４の本体部３３を覆いながら下側カバー２７に着脱自在に係合して支持する上側カバー２８と、を備えている。
【００１７】
ここで、図３に示すように、発光ユニット３の支持部材２０の上面には、ＬＥＤ基板１９の複数のＬＥＤに点灯電力を供給するユニット電源装置２５が長尺方向の中央付近に配置されているとともに、長尺方向の一方及び他方の端部側に、一対のバネ係止具３４が配置されている。
そして、発光ユニット３の支持部材２０に配置した一対のバネ係止具３４に、器具本体２の天板部８に設けた一対のバネ金具１２のアーム部１５を係止することで（図６参照）、器具本体２のユニット収納部７に発光ユニット３が配置される。
【００１８】
ここで、図８は、電源端子台１１と、ユニット電源装置２５と、プルスイッチ２３との第１実施形態の接続回路を示すものである。
ユニット電源装置２５は、交流電流を直流電流に変換する整流回路３５と、整流回路３５で変換された直流電流をＬＥＤ基板１９の複数のＬＥＤに供給するドライブ回路３６とを実装した電源基板３７を備えており、第１実施形態のプルスイッチ２３は、電源端子台１１に接続する電源基板３７に設けた整流回路３５の一次側の配線パターン（第１配線パターン）３８ａ，３８ｂの間に接続されている。
そして、プルスイッチ２３の引き紐２６ｂを引く毎に、プルスイッチ２３（キャノピースイッチ２６）に内蔵されている接点（不図示）を切り替えることで、ユニット電源装置２５に給電される状態と、ユニット電源装置２５への給電が停止される状態とに切り替わる。
【００１９】
次に、第１実施形態の埋込み型の照明装置１を天井に組付ける手順の一例について、図９（ａ）〜（ｃ）を参照して説明する。
図９（ａ）に示すように、器具本体２を、天井開口部２１から天井裏に埋め込んだ状態とし、天井裏の造営材から吊下がっている吊りボルトＢの下端に天板部８を固定することで、器具本体２を天井に吊下げ保持する。また、天井裏に設けられている外部電源の電気配線を器具本体２の配線用穴９を通過させて電源端子台１１（図４参照）に接続するとともに、電源端子台１１と発光ユニット３のユニット電源装置２５とを電気配線で接続する。さらに、天井裏に設けられている調光信号線を器具本体の調光信号線用穴１０ａを通過させて照明装置１に配置した調光装置（不図示）に接続する。
そして、発光ユニット３を器具本体２のユニット収納部７内に移動していき、発光ユニット３の長尺方向の一端から突出しているストッパー突起部３２を、器具本体２の第１エンド部材５側に対向させる。
【００２０】
次いで、図９（ｂ）に示すように、発光ユニット３の長尺方向の一端側をさらに上方に移動させながら、ストッパー突起部３２を器具本体２の第１エンド部材５に形成されているストッパー挿入孔１８に挿入する。
次いで、図９（ｃ）に示すように、発光ユニット３のストッパー突起部３２を器具本体２のストッパー挿入孔１８に挿入した状態で、発光ユニット３の長尺方向の他端側も上方に移動させていき、発光ユニット３の支持部材２０の長尺方向の両端側に配置した一対のバネ係止具３４に、器具本体２の天板部８に設けた一対のバネ金具１２を係止することで、器具本体２のユニット収納部７に発光ユニット３が装着され、天井に埋込み型の照明装置１が組付けられる。
【００２１】
次に、第１実施形態の埋込み型の照明装置１の作用及び効果について説明する。
天井に組付けられた第１実施形態の埋込み型の照明装置１は、発光ユニット３に配置されたプルスイッチ２３の引き紐２６ｂを下方に引いてプルスイッチ２３の切替え操作を行う際に、発光ユニット３に下向きの外力が作用するが、発光ユニット３のストッパー突起部３２が器具本体２のストッパー挿入孔１８に挿入されており、引き紐２６ｂの操作による下向きの外力に対して発光ユニット３が逆向きの反力を作用するので、発光ユニット３の脱落を確実に防止することができる。
【００２２】
また、発光ユニット３の脱落を防止する構造は、発光ユニット３の長尺方向の一方の端部から長尺方向の外方に突出しているストッパー突起部３２と、器具本体２の第１エンド部材５に形成したストッパー挿入孔１８とからなる簡便な構造としているので、製造コストの低減化を図ることができる。
したがって、第１実施形態の埋込み型の照明装置１は、器具本体２に対する発光ユニット３の保持力を高める部品の点数削減を図ることで部品管理の効率化を図ることができ、簡便な作業で発光ユニット３の保持力を高めることができる。
【００２３】
また、第１実施形態のプルスイッチ２３は、ユニット電源装置２５の整流回路３５とドライブ回路３６とを実装している電源基板３７において、交流電流が流れる一次側の配線パターン３８ａ，３８ｂの間に接続されているので、プルスイッチ２３が発光ユニット３のＬＥＤ基板１９に対する給電を停止しても、電源の安全機構が作動することがない。また、発光ユニット３のＬＥＤ基板１９が消灯モードになる等のオープン故障も発生することがない。
【００２４】
［第２実施形態］
ここで、図１０は、上記の照明装置１で示した電源端子台１１、ユニット電源装置２５及びプルスイッチ２３の第２実施形態の接続回路を示すものである。
第２実施形態のユニット電源装置２５も、図８で示した第１実施形態と同様に、交流電流を直流電流に変換する整流回路３５と、整流回路３５で変換された直流電流をＬＥＤ基板１９の複数のＬＥＤに供給するドライブ回路３６とを実装した電源基板３７を備えている。
【００２５】
そして、第２実施形態のプルスイッチ２３は、整流回路３５とドライブ回路３６とを接続する電源基板３７に設けた配線パターン３９ａ，３９ｂの間に接続されている。
このように、第２実施形態のプルスイッチ２３は、ユニット電源装置２５の整流回路３５とドライブ回路３６とを実装している電源基板３７において、整流回路３５とドライブ回路３６の間の配線パターン３９ａ，３９ｂに接続されていることから、第１実施形態と同様に、プルスイッチ２３が発光ユニット３のＬＥＤ基板１９に対する給電を停止しても、電源の安全機構が作動することがないし、発光ユニット３のＬＥＤ基板１９が消灯モードになる等のオープン故障も発生することがない。
【００２６】
［第３実施形態］
次に、本発明に係る第３実施形態の照明装置について図面を参照しながら説明する。
図１１及び図１２は、第３実施形態のトラフ型の照明装置４０の斜視図を示すものであり、図１３及び図１４は、第３実施形態のトラフ型の照明装置４０の分解斜視図を示すものである。
なお、図１から図１０で示した埋込み型の照明装置１と同一構成部分は、同一符号を付して説明は省略する。
第３実施形態の照明装置４０は、天井面に直付けされる器具本体４１と、この器具本体４１に着脱自在に装着され、器具本体４１の下方（室内側）に配置される発光ユニット４２とを備えている。
【００２７】
なお、第３実施形態の照明装置４０も、器具本体４１や発光ユニット４２の長尺方向を統括して照明装置としての長尺方向と定義し、照明装置４０が天井位置に取付けられた状態で、この長尺方向と水平面内で直交する方向を幅方向と定義する。
器具本体４１は、図１３及び図１４に示すように、発光ユニット３を収納する長尺な本体部材４３と、本体部材４３の長尺方向の一方の端部に取付けられる第１エンド部材４４と、本体部材４３の長尺方向の他方の端部に取付けられる第２エンド部材４５とを備えている。
本体部材４３は、幅広・長尺な金属製板材をプレス加工などにより切断・折り曲げすることで、断面コ字形状に形成されているとともに、図１４に示すように、本体部材４３の内部にユニット収納部４６が形成されている。
【００２８】
図１１及び図１３に示すように、本体部材４３の天板部４７には、天井内部の配線を引き込むための配線用穴４８が形成されているとともに、複数の吊りボルト用孔４９及び調光信号線用穴４９ａが形成されている。また、配線用穴４８には配線を傷つけないようにする丸穴保護ブッシュ５０が装着されている。
吊りボルト用孔４９には、天井裏の造営材に固定されて天井面まで下がって配置された吊りボルトの下部が挿入され、ナットを係合することで天板部４７に固定される。これにより、器具本体４１は天井面に直付けされる。
【００２９】
また、図１４に示すように、本体部材４３の天板部４７の発光ユニット４２が装着される装着面の長尺方向中央に電源端子台１１が固定されるとともに、装着面の長尺方向の一方及び他方の端部側に、発光ユニット４２を着脱自在に装着するための一対のバネ金具１２が配置されている。
本体部材４３の長尺方向の両端部に取付けられている第１エンド部材４４及び第２エンド部材４５は、合成樹脂製の板材又は金属製の板材で形成されている。
本体部材４３の長尺方向の一方の端部に取付けられる第１エンド部材４４は、図１５及び図１６に示すように、ユニット収納部４６を覆う台形形状の平板部５１と、平板部５１の周縁から板厚方向に突出して本体部材４３の長尺方向の縁部に固定される固定辺部５２，５３，５４と、平板部５１の裏面から板厚方向の外方に突出して形成されている内壁突起部５５と、を備えた部材である。
本体部材４３の長尺方向の他方の端部に取付けられる第２エンド部材４５は、平板部５１及び固定辺部５２，５３，５４が形成されているが、平板部５１には内壁突起部５５が形成されていない。
【００３０】
発光ユニット４２は、図１７に示すように、長尺形状のＬＥＤ基板１９と、ＬＥＤ基板１９を下面に取付けた支持部材２０と、ＬＥＤ基板１９の発光側を覆っているユニットカバー２２と、支持部材２０の長尺方向の一方の端部側の下面に配置されたプルスイッチ２３と、支持部材２０の長尺方向の一方の端部に配置され、長尺方向に移動自在に配置されているストッパー部材６０と、を備えている。
ストッパー部材６０は、ストッパー突起部６２と、ストッパー突起部６２に対して厚さ方向の寸法を大きくした本体部６３と、を備えた部材である。本体部６３には、ストッパー突起部６２とは逆側の位置で開口しているバネ収納凹部６１が形成されており、このバネ収納凹部６１に押圧用コイルバネ６４が配置されている。
【００３１】
また、プルスイッチ２３は、図１７に示すように、キャノピースイッチ２６と、キャノピースイッチ２６を収納する下側カバー２７と、ストッパー部材６０の本体部６３及び押圧用コイルバネ６４を収納して下側カバー２７に着脱自在に係合して支持する上側カバー２８とを備えている。
そして、図１７に示すように、発光ユニット４２の支持部材２０に配置した一対のバネ係止具３４に、器具本体４１の天板部８に設けた一対のバネ金具１２のアーム部１５を係止することで、器具本体４１のユニット収納部４６に発光ユニット４２が配置される。
【００３２】
ここで、第３実施形態のユニット電源装置２５は、図８で示した第１実施形態と同様に、交流電流を直流電流に変換する整流回路３５と、整流回路３５で変換された直流電流をＬＥＤ基板１９の複数のＬＥＤに供給するドライブ回路３６とを実装した電源基板３７を備えており、プルスイッチ２３は、電源端子台１１に接続する電源基板３７に設けた整流回路３５の一次側の配線パターンの間に接続されている。そして、プルスイッチ２３の引き紐２６ｂを引く毎に、プルスイッチ２３（キャノピースイッチ２６）に内蔵されている接点（不図示）を切り替えることで、ユニット電源装置２５に給電される状態と、ユニット電源装置２５への給電が停止される状態とに切り替わる。
【００３３】
次に、第３実施形態の埋込み型の照明装置１を天井に組付ける手順の一例について、図１８（ａ）〜（ｃ）を参照して説明する。
先ず、図１８（ａ）に示すように、天井裏の造営材に固定されて天井面まで下がって配置された吊りボルトＢの下部に器具本体４１の天板部４７を固定することで、器具本体４１を天井６５の下面に組付ける。また、天井裏に設けられている外部電源の電気配線を器具本体４１の配線用穴４８を通過させて電源端子台１１に接続するとともに、電源端子台１１と発光ユニット４２のユニット電源装置２５とを電気配線で接続する。さらに、天井裏に設けられている調光信号線を器具本体の調光信号線用穴４９ａを通過させて照明装置４０に配置した調光装置（不図示）に接続する。
【００３４】
次いで、図１８（ｂ）に示すように、発光ユニット４２全体を上方に移動させていく。そして、発光ユニット４２の長尺方向の一方の端部側に配置したストッパー突起部６２が、器具本体４１の第１エンド部材４４の内壁突起部５５に係合すると、ストッパー突起部６２及び本体部６３（ストッパー部材６０）が長尺方向の他端側に移動して退避していくとともに、ストッパー部材６０のバネ収納凹部６１に配置されている押圧用コイルバネ６４が圧縮されていく。
次いで、図１８（ｃ）に示すように、発光ユニット４２全体をさらに上方に移動させていくと、発光ユニット４２の支持部材２０の長尺方向の両端側に配置した一対のバネ係止具３４に、器具本体２の天板部８に設けた一対のバネ金具１２を係止することで、器具本体４１のユニット収納部４６に発光ユニット４２が装着され、トラフ型の照明装置４０が組付けられる。
【００３５】
そして、第１エンド部材４４の内壁突起部５５が発光ユニット４２のストッパー突起部６２の上方に移動することで、ストッパー突起部６２及び内壁突起部５５の係合状態が解除され、押圧用コイルバネ６４のバネ復元力によりストッパー突起部６２及び本体部６３（ストッパー部材６０）が長尺方向の一端側に移動していく。これにより、発光ユニット４２側のストッパー突起部６２に対して、器具本体４１側の内壁突起部５５が下方位置でオーバーラップした状態で配置される。
【００３６】
次に、第３実施形態のトラフ型の照明装置４０の作用及び効果について説明する。
天井に組付けられた第３実施形態のトラフ型の照明装置４０は、発光ユニット４２に配置されたプルスイッチ２３の引き紐２６ｂを下方に引いてプルスイッチ２３の切替え操作を行う際に、発光ユニット４２に下向きの外力が作用するが、発光ユニット４２側のストッパー突起部６２に対して器具本体４１側の内壁突起部５５が下方位置でオーバーラップした状態で配置されており、引き紐２６ｂの操作による下向きの外力に対して、器具本体４１の内壁突起部５５が発光ユニット４２側のストッパー突起部６２に接触することで逆向きの反力を作用するので、発光ユニット４２の脱落を確実に防止することができる。
【００３７】
また、発光ユニット４２の脱落を防止する構造は、発光ユニット４２の長尺方向の一方の端部から長尺方向の外方に突出しているストッパー突起部６２と、器具本体４１の第１エンド部材４４に形成した内壁突起部５５とからなる簡便な構造としているので、製造コストの低減化を図ることができる。
また、発光ユニット４２のストッパー突起部６２は、発光ユニット４２を器具本体４１に組付ける際には、長尺方向の他方の端部側に移動して第１エンド部材４４の内壁突起部５５に対して退避するので、器具本体４１に対する発光ユニット４２の組付け作業性も向上させることができる。
【００３８】
したがって、第３実施形態のトラフ型の照明装置４０は、器具本体４１に対する発光ユニット４２の保持力を高める部品の点数削減を図ることで部品管理の効率化を図ることができ、簡便な作業で発光ユニット４２の保持力を高めることができる。
また、第３実施形態のプルスイッチ２３は、第１実施形態の同様に、ユニット電源装置２５の整流回路３５とドライブ回路３６とを実装している電源基板３７において交流電流が流れる一次側の配線パターンの間に接続されているので、プルスイッチ２３が発光ユニット４２のＬＥＤ基板１９に対する給電を停止しても、電源の安全機構が作動することがなく、発光ユニット４２のＬＥＤ基板１９が消灯モードになる等のオープン故障も発生することがない。
【００３９】
ここで、第３実施形態のプルスイッチ２３を、第２実施形態と同様に、整流回路３５とドライブ回路３６の間の配線に接続する回路構造としても、プルスイッチ２３が発光ユニット４２のＬＥＤ基板１９に対する給電を停止しても、電源の安全機構が作動することがなく、発光ユニット４２のＬＥＤ基板１９が消灯モードになる等のオープン故障も発生することがない。
なお、具体的な図面は開示していないが、逆富士型の照明装置を採用しても、第３実施形態のトラフ型の照明装置４０と同様の効果を奏することができる。
さらに、第３実施形態では、ストッパー部材６０の本体部６３に形成したバネ収納凹部６１に押圧用コイルバネ６４を配置する構造としたが、バネ収納凹部を形成せずに本体部６３の端面と上側カバー２８の内側面との間に押圧用コイルバネ６４を配置する構造としてもよい。
【符号の説明】
【００４０】
１  照明装置
２  器具本体
３  発光ユニット
４  本体部材
５  第１エンド部材
６  第２エンド部材
７  ユニット収納部
８  天板部
９  配線用穴
１０  吊りボルト用孔
１０ａ  調光信号線用穴
１１  電源端子台（接続部）
１２  バネ金具（バネ部材、ユニット装着部）
１３  バネ
１４  バネ支持部
１５  アーム部
１６  平板部
１７  固定辺部
１８  ストッパー挿入孔
１９  ＬＥＤ基板（発光素子基板）
２０  支持部材
２１  天井開口部
２２  ユニットカバー
２３  プルスイッチ
２４  ストッパー部材
２５  ユニット電源装置
２６  キャノピースイッチ
２６ａ  キャノピースイッチ受
２６ｂ  引き紐
２７  下側カバー
２８  上側カバー
２９  ストッパー固定部材
３０  第１平板
３１  第２平板
３２  ストッパー突起部
３３  本体部
３４  バネ係止具（バネ受け部材、ユニット装着部）
３５  整流回路
３６  ドライブ回路
３７  電源基板
３８ａ，３８ｂ  一次側の配線パターン（第１配線パターン）
３９ａ，３９ｂ  配線パターン（第２配線パターン）
４０  照明装置
４１  器具本体
４２  発光ユニット
４３  本体部材
４４  第１エンド部材
４５  第２エンド部材
４６  ユニット収納部
４７  天板部
４８  配線用穴
４９  吊りボルト用孔
４９ａ  調光信号線用穴
５０  丸穴保護ブッシュ
５１  平板部
５２，５３，５４  固定辺部
５５  内壁突起部
６０  ストッパー部材
６１  バネ収納凹部
６２  ストッパー突起部
６３  本体部
６４  押圧用コイルバネ（押圧部材）
Ｂ  吊りボルト
【図１】
2018049747.tif 000003
【図２】
2018049747.tif 000004
【図３】
2018049747.tif 000005
【図４】
2018049747.tif 000006
【図５】
2018049747.tif 000007
【図６】
2018049747.tif 000008
【図７】
2018049747.tif 000009
【図８】
2018049747.tif 000010
【図９】
2018049747.tif 000011
【図１０】
2018049747.tif 000012
【図１１】
2018049747.tif 000013
【図１２】
2018049747.tif 000014
【図１３】
2018049747.tif 000015
【図１４】
2018049747.tif 000016
【図１５】
2018049747.tif 000017
【図１６】
2018049747.tif 000018
【図１７】
2018049747.tif 000019
【図１８】
2018049747.tif 000020